(57)【要約】【課題】軒天部との間に隙間が発生することなく施工すること。【解決手段】妻側化粧体１０は、本体１１と上部桟１２と有し、上部桟１２には本体１１へ張り出す張出し突起１２ａが形成されている。この妻側化粧体１０は、本体１１及び上部桟１２を取り付ける際に、上部桟１２を軒天勾配に合わせて取り付ける。この際、張出し突起１２ａにより、本体１１と軒天勾配とのずれを吸収する。本体１１及び上部桟１２は、複数に分割して形成することにより運搬等が容易になる。【選択図】　図６
2004068267.tif 000002
【特許請求の範囲】
【請求項１】
本体と、本体の頂辺部に配置される上部桟とを備えて妻側の壁に取り付けられる妻側化粧体において、
前記上部桟には、前記本体へ張出す張出し突起が設けられていることを特徴とする妻側化粧体。
【請求項２】
請求項１記載の妻側化粧体において、
前記本体及び前記上部桟は、複数に分割して形成されていることを特徴とする妻側化粧体。
【請求項３】
本体と該本体の頂辺部に配置される上部桟とを備えた妻側化粧体を軒天部の下方に取り付ける妻側化粧体の施工方法において、
前記上部桟に予め張出し突起を設けておき、この上部桟及び前記本体の取り付けに際して、該上部桟を軒天勾配に合わせて取り付け、前記張出し突起により前記本体と軒天勾配とのずれを吸収することを特徴とする妻側化粧体の施工方法。
【発明の詳細な説明】
【０００１】
【発明の属する技術分野】
この発明は、切妻屋根等の妻側に設けられる妻側化粧体と、その妻側化粧体の施工方法に関する。
【０００２】
【従来の技術】
例えば、切妻屋根が採用された住宅にあっては、その妻側の上部に設けられた換気口が外部から見えないようにするため、また妻側の壁の化粧用として妻側化粧体が取り付けられている。
このような妻側化粧体は、住宅の高さや幅、並びに屋根の傾斜角度等に応じて予め定められている。そのため、従来では、工場にて図８に示すように、上部桟２と本体３とを一体に組立て妻側化粧体１を形成しておき、この妻側化粧体１を現場まで輸送し、現場の建築住宅において、図９に示すように破風板４に沿うよう妻側化粧体１を取り付ける。ここで、図１０のように、取付釘８ａにより妻側化粧体１の本体３をサイディング８ｄ及び縦胴縁８ｅを介して束（柱）８ｃに取り付ける。この場合、本体３には取付ビス８ｂによって上部桟２が組立られている。本体３は、図８に示すように、部材を縦横に組み付けることで山形状に形成され、その本体３の頂辺部に取付ビス８ｂによって上部桟２が取り付けられることで妻側化粧体１が構成される。
なお、図９において、符号５は屋根材であり、図１０において、符号６は軒天部、７は野縁である。
【０００３】
【発明が解決しようとする課題】
ところで、上記従来の妻側化粧体１の施工方法においては、妻側化粧体１を現場で住宅の妻側の所定位置に取り付けるものであるが、妻側化粧体１が予め工場にて図８のように一体に組立てられているので、現場で実際に施工しようとする際に、住宅の軒天部６の勾配（軒天勾配）が設計通りではなく、微妙にずれていたりした場合に、図１０に示すように、軒天部６と妻側化粧体１の上部桟２との間に微妙な隙間（約１０ミリ前後）ｌが発生してしまい、見栄えが悪くなっていた。この問題は、特に、妻側化粧体１の寸法が大きい場合にソリが大きくなることから、一層顕著となっていた。
【０００４】
この発明は、このような事情を考慮してなされたもので、その目的は、軒天部の勾配にずれがあっても、軒天部との間に隙間が発生することなく施工することができる妻側化粧体を提供することにあり、他の目的は上記妻側化粧体の施工方法を提供することにある。
【０００５】
【課題を解決するための手段】
上記目的を達成するために、この発明は以下の手段を提案している。
請求項１に係る発明は、本体と、本体の頂辺部に配置される上部桟とを備えて妻側の壁に取り付けられる妻側化粧体において、前記上部桟には、前記本体へ張出す張出し突起が設けられていることを特徴とする。
【０００６】
この発明に係る妻側化粧体によれば、軒天勾配に合わせて上部桟を取り付けることにより、軒天部と上部桟との間の隙間の発生を防止することができる。
【０００７】
請求項２に係る発明は、請求項１記載の妻側化粧体において、前記本体及び前記上部桟は、複数に分割して形成されていることを特徴とする。
この発明に係る妻側化粧体によれば、本体及び上部桟を現場まで輸送するとき、大型のトラックなどを必要とすることなく運搬が可能であり、またトラックへの積載も容易に行うことができる。
【０００８】
請求項３に係る発明は、本体と該本体の頂辺部に配置される上部桟とを備えた妻側化粧体を軒天部の下方に取り付ける妻側化粧体の施工方法において、前記上部桟に予め張出し突起を設けておき、この上部桟及び前記本体の取り付けに際して、該上部桟を軒天勾配に合わせて取り付け、前記張出し突起により前記本体と軒天勾配とのずれを吸収することを特徴とする。
この発明に係る妻側化粧体によれば、軒天勾配に合わせて上部桟を取り付けることにより、軒天部と上部桟との間の隙間の発生を防止することができる。
【０００９】
【発明の実施の形態】
以下、図面を参照し、この発明の実施の形態について説明する。図１から図６はこの発明の一実施の形態に係る妻側化粧体を示す図であって、図１は妻側から見た取付け状態を示す正面図、図２は妻側化粧体における工場での製作状態を示す斜視図、図３は妻側化粧体の組立て状態を示す斜視図、図４は妻側化粧体を構成する各部材の斜視図、図５は妻側化粧体における本体の取付け状態を示す説明図、図６は妻側化粧体における上部桟の取付け状態を示す説明図である。
【００１０】
この実施形態の妻側化粧体１０は、図１に示すように、切妻屋根からなる住宅の妻側の上部に設けられた換気口（図示せず）を隠したりすると共に、妻側の化粧用として取り付けられるものであって、格子状に枠組されて全体として山形形状をなす本体１１と、本体１１の頂辺部に設けられて山形稜線部（ヘの字）を形成する上部桟１２とを備えて構成されている。なお、図１において、符号１３は屋根材、１４は破風板である。
【００１１】
そして、この妻側化粧体１０は、図２に示すように、本体１１と上部桟１２とがそれぞれ組立可能に分離して形成されている。つまり、本体１１は、部材を互いに枠組することで形成される一方、上部桟１２は、本体１１とは分離して形成され、この状態で工場にて形成されている。
【００１２】
この場合、本体１１において、上部桟１２との接合部分の箇所は、図２のように上部桟１２の形状に合わせて斜めに切断されている。本体１１としては、本例では、図４（ａ）に示すように、奥行きＬ１が３０ミリでかつ高さＬ２が２０ミリの角材からなる横部材１１ａと、これと同寸法の角材からなる縦部材１１ｂとの二種類からなっており、これらを縦横に組み付けることで、図２のような本体１１が形成される。
【００１３】
上部桟１２は、図４（ｂ）に示すように、その底面１２ｂが本体１１の接合面と当接できるように平面をなす角材からなっており、互いに突付けする端部は、予め、長さ方向と直角に切断されてあって、現場の住宅の軒天部１５（図５参照）の傾斜角度（勾配）に合わせて切断加工されることで、突き合わせ（突付け）られるようになっている。
【００１４】
また、上部桟１２の底部には図４（ｂ）に示すように、下方に垂下する張出し突起１２ａが設けられている。この張出し突起１２ａは、例えば１５ミリ程度の長さＬ３をなしており、本体１１と組み合わせられたとき、本体１１の上部へ張出して当接するよう斜めに形成されている。なお、上部桟１２の奥行きＬ４は、本体１１の部材１１ａ、１１ｂの奥行きＬ１と同寸法となっている。Ｌ５は上部桟１２の高さである。
【００１５】
このような、本体１１及び上部桟１２は、例えば発泡ポリスチレンからなる合成樹脂、或いは木材からなっている。
従って、妻側化粧体１０は、工場にて製作されると、その状態で本体１１と上部桟１２とが梱包され、かつ現場まで輸送されることとなっている。
【００１６】
この実施形態の妻側化粧体は、上記の構成であるので、次に、その施工方法について以下に説明する。
妻側化粧体１０は、現場において図２のように本体１１と、上部桟１２とを組立可能に分割しておき、その分割した状態で現地まで輸送し、現地で建築されている住宅の妻側の上部に図５のように施工することとなる。
【００１７】
その場合、住宅の妻側に設けられている軒天部１５の傾斜角度が設計図面と若干異なり、妻側化粧体１０の本体１１と上部桟１２とをそのまま直に当接させて組立てようとしたとき、本体１１と軒天部１５との間に、上部桟１２の高さＬ５寸法より大きな隙間Ｌが生じていることがある。
【００１８】
しかしながら、妻側化粧体１０は、本体１１と上部桟１２とが分割されているので、まず、図５に示すように、本体１１を取付釘１６により、サイディング１９ａ及び縦胴縁１９を介して束（柱）１８に取り付ける。
【００１９】
この場合、本体１１には、取付釘１６を打ち込む部分には、予め、下穴（図示せず）をあけておくと共に、その下穴部分に例えば、片面テープ若しくは両面テープ付きのゴムパッキン１７を貼り付けておき、その状態で取付釘１６を下穴に挿入して束１８に打ち込むことで、サイディング１９ａと本体１１との間にゴムパッキン１７を介在させる。図５において、符号２２は雨押さえ、２３は瓦である。
【００２０】
このようにして、サイディング１９ａと縦胴縁１９と束１８からなる壁に対し軒天部１５から隙間Ｌを隔てて本体１１を取り付けた後、その本体１１と軒天部１５との間に、図６に示すように上部桟１２を差し込んで取り付ける。この場合、上部桟１２の互いに突き合わせ（突付け）る両端を、予め現場の軒天部１５の勾配に合わせて切断加工しておき、その切断加工された上部桟１２を軒天部１５と本体１１との間に挿入したとき、上部桟１２の下方から野縁２０に取付ビス２１を介してねじ込むことで上部桟１２を取り付ける。
【００２１】
即ち、上部桟１２が取付ビス２１によって野縁２０に固定されると共に、本体１１が取付釘１６によって壁に固定されることでそれぞれが個別に固定され、これによって妻側の上部に設けられている換気口を隠すことができる妻側化粧体１０を構成することとなる。
【００２２】
この施工方法においては、妻側の前記壁に軒天部１５から隙間Ｌを隔てて本体１１を取り付けた後、その隙間Ｌに上部桟１２を挿入し、上部桟１２の上面を軒天部１５に密着させた状態で取り付けると、上部桟１２と本体１１間に誤差Ｌ６が生じているにも拘わらず、その誤差Ｌ６が上部桟１２に設けられている張出し突起１２ａによって覆われるので、上部桟１２と本体１１とがあたかも一体の組立状態に見え、従って、軒天部１５の傾斜角度（勾配）がずれてあっても、誤差Ｌ６が外部から見えることがなくなり、綺麗な施工を行うことができる。
【００２３】
また、本体１１がサイディング１９ａ、縦胴縁１９、束１８からなる壁に取り付けられる一方、上部桟１２が軒天部１５の柱に個別に取り付けられるので、軒天部１５と本体１１間の隙間Ｌが上部桟１２の高さＬ５寸法より大きくなっていても、それぞれを確実に取り付けることができ、妻側化粧体１０を良好に組立てることができる。
【００２４】
しかも、妻側化粧体１０の本体１１と上部桟１２とが組立可能に分割されているので、上述のように、軒天部１５の傾斜角度がずれてあっても、それに合わせて上部桟１２を取り付けることができる。
【００２５】
なお、この実施の形態においては、本体１１を取り付けた後に上部桟１２を取り付けるようにしたが、上部桟１２を先に取り付け、その後に上部桟１２を取り付けるようにしてもよい。この場合、上部桟１２を取り付けると、上部桟１２に図４（ｂ）に示すＬ３，Ｌ４のスペースが形成されるため、このスペースに本体１１を差し込んで取り付けるようにする。
また、上記の実施形態において、本体１１及び上部桟１２が現場でそれぞれ形成されると、それらがその状態で現場まで輸送された例を示したが、例えば図７に示すように、それぞれが分割して形成されてもよい。
図７は、本体１１と、上部桟１２とが現場にてそれぞれ分割形成された例を示している。
【００２６】
即ち、図７（ａ）においては、本体１１が幅方向に１１Ａと１１Ｂと１１Ｃとに三分割されると共に、二本の上部桟１２が長さ方向に１２Ａと１２Ｂとに二分割して形成されている。図７（ｂ）においては、本体１１が幅方向に１１Ａ〜１１Ｄとに四分割されると共に、上部桟１２が１２Ａと１２Ｂとに二分割して形成されている。同図（ｃ）においては、本体１１が１１Ａ〜１１Ｆの六分割されると共に、上部桟１２が１２Ａ〜１２Ｃとに三分割して形成され、同図（ｄ）においては、本体１１が１１Ａ〜１１Ｈに八分割されると共に、上部桟１２が（ｃ）と同様三分割されている。
【００２７】
このように、本体１１及び上部桟１２の双方を現場にて適宜の数に分割して形成すれば、これらを現場まで輸送するとき、大型のトラックを必要とすることなく輸送することができるばかりでなく、トラックへの積載も容易に行うことができ、従って、大型サイズの妻側化粧体１であっても、積載及び輸送の利便性が高まる。特に、大型サイズの場合、本体１１の最大幅が１０メートル程度にも達するので、極めて有益となる。
【００２８】
また、妻側化粧体１０の本体１１及び上部桟１２は、発泡ポリスチレンからなっていると、耐候性に優れているので、腐食などが起こることなく長期使用することができる。
そして、本体１１として、縦横に枠組みされた格子状のものを用いた例を示したが、これに限らず、縦方向や横方向に配置されるものにも適用することができ、かつ上部桟として斜めに傾斜するものを用いた例を示したが、水平に取り付けられるものにも適用することができる。
【００２９】
【発明の効果】
以上説明したように、請求項１に係る発明によれば、上部桟に本体へ張出す張出し突起が設けられているため、軒天勾配に合わせて上部桟を取り付けることにより、軒天部と上部桟との間の隙間の発生を防止することができる。
【００３０】
請求項２に係る発明によれば、本体及び前記上部桟が複数に分割形成されているため、本体及び上部桟を現場まで輸送するとき、大型のトラックなどを必要とすることなく運搬が可能であり、またトラックへの積載も容易に行うことができる。
【００３１】
請求項３に係る発明によれば、張出し突起により本体と軒天勾配とのずれを吸収するため、軒天部と上部桟との間の隙間の発生を防止することができる。
【図面の簡単な説明】
【図１】この発明の一実施の形態に係る妻側化粧体を示す図であって、妻側から見た取付け状態を示す正面図である。
【図２】妻側化粧体における工場での製作状態を示す斜視図である。
【図３】妻側化粧体の組立て状態を示す斜視図である。
【図４】妻側化粧体を構成する各部材の説明図であって、（ａ）は本体の構成材料を示す斜視図、（ｂ）は頂辺部の構成材料を示す斜視図である。
【図５】妻側化粧体における本体の取付け状態を示す説明図である。
【図６】妻側化粧体における上部桟の取付け状態を示す説明図である。
【図７】妻側化粧体の分割状態を示す図であって、（ａ）は本体を三分割しかつ上部桟を二分割したときの斜視図、（ｂ）は本体を四分割しかつ上部桟を二分割したときの斜視図、（ｃ）は本体を六分割しかつ上部桟を三分割したときの斜視図、（ｄ）は本体を八分割しかつ上部桟を三分割したときの斜視図である。
【図８】工場にて組立てられた従来の妻側化粧体を示す正面図である。
【図９】図８の妻側化粧体を建築住宅に施工したときの正面図である。
【図１０】図９のＺ部の詳細を示す説明用断面図である。
【符号の説明】
１０　　妻側化粧体
１１　　本体
１２　　上部桟
１２ａ　　張出し突起
１５　　軒天部
１８　　束（柱）
２０　　野縁
【図１】
2004068267.tif 000003
【図２】
2004068267.tif 000004
【図３】
2004068267.tif 000005
【図４】
2004068267.tif 000006
【図５】
2004068267.tif 000007
【図６】
2004068267.tif 000008
【図７】
2004068267.tif 000009
【図８】
2004068267.tif 000010
【図９】
2004068267.tif 000011
【図１０】
2004068267.tif 000012